(57)【要約】【課題】  開閉扉１３を作業用テーブルとして使用するときに開閉扉１３が本体部１２からあまり出っ張らずに省スペースの収納棚１１とする。【解決手段】  立てた状態で本体部１２内を覆う蓋となり、水平に倒した状態で作業用テーブルとなる開閉扉１３を備えた収納棚１１である。開閉扉１３を支持するヒンジ１４を、その基端部が本体部１２の前端部より内側の位置に回動可能に支持した。これにより、開閉扉１３は、立てられた状態で本体部１２の前面を覆うと共に、倒された状態でその端部が本体部１２の内部に入り込んで水平に維持される。ヒンジ１４は回動制御部２２を備え、この回動制御部２２の擦り板２５が支持板部２１に摩擦してヒンジ１４の回動を制御する。【選択図】    図１
2005270410.tif 000002
【特許請求の範囲】
【請求項１】
立てた状態で本体部内を覆う蓋となり、水平に倒した状態で作業用テーブルとなる開閉扉を備えた収納棚であって、
先端部が上記開閉扉の側部を支持すると共に、基端部が上記本体部の前端部より内側の位置に回動可能に支持されたヒンジを備え、
当該ヒンジに支持された上記開閉扉が、立てられた状態で上記本体部の前面を覆うと共に、倒された状態でその端部が上記本体部の内部に入り込んで水平に維持されることを特徴とする収納棚。
【請求項２】
請求項１に記載の収納棚において、
上記ヒンジが、上記開閉扉に固定される固定用フランジ部と、当該固定用フランジ部が上記開閉扉に固定された状態で当該開閉扉の面と直行するように立ち上げて形成された支持板部と、当該支持板部の先端部に設けられて上記本体部の前端部より内側の位置に回動可能に取り付けられる回動制御部とから構成され、
上記回動制御部が、上記支持板部を回転可能に支持する支持軸と、当該支持軸に回転可能に支持された上記支持板部に当接して摩擦する擦り板と、当該擦り板を上記支持板部に押し付ける付勢手段とを備えて構成されたことを特徴とする収納棚。
【請求項３】
請求項１又は２に記載の収納棚において、
上記ヒンジの回動中心から上記開閉扉の外側面までの距離ｘと、上記回動中心から上記開閉扉に下ろした垂線と当該開閉扉との交点から当該開閉扉の下端部までの距離ｙとが同じ寸法になるように、上記ヒンジの寸法及び取り付け位置を設定したことを特徴とする収納棚。
【請求項４】
請求項１ないし３のいずれか１項に記載の収納棚において、
上記開閉扉が上記本体部前面の上側を覆った状態で当該本体部前面の下側を覆う下部扉を備え、
当該下部扉が、上記ヒンジによって水平状態に支持された上記開閉扉の下側面に当接して当該開閉扉を支持することを特徴とする収納棚。
【請求項５】
請求項４に記載の収納棚において、
上記下部扉が、その一側を上記本体部に回動可能に支持されて横方向に開閉すると共に、閉じた状態と開いた状態の両方で上記開閉扉の下側面を支持することを特徴とする収納棚。
【請求項６】
請求項４又は５に記載の収納棚において、
上記本体部内の上部がパーソナルコンピュータの表示装置の設置スペースとなり、上記作業用テーブルがキーボード等の設置台となると共に、
上記下部扉の内側面下部に、上記パーソナルコンピュータの本体を設置するカートを備えたことを特徴とする収納棚。
【請求項７】
請求項１ないし６のいずれか１項に記載の収納棚において、
上記本体部の両側面、天井面及び背面並びに上記開閉扉及び下部扉が板材で構成されたことを特徴とする収納棚。
【発明の詳細な説明】
【技術分野】
【０００１】
この発明は、作業用テーブルを備えた収納棚に関し、特にパソコンラックとして使用して好適な収納棚に関するものである。
【背景技術】
【０００２】
作業用テーブルを備えた収納棚の類としては、特許文献１に記載の書棚付き机がある。この書棚付き机は、図２に示すように、机本体１の上部に書棚２を備え、この書棚２の下端部に回動天板３が取り付けられている。この回動天板３は、その基端部がヒンジによって回動可能に支持されている。
【０００３】
この回動天板３の下側には、キャビネット部４が設けられ、このキャビネット部４が回動天板３をその下側から支持している。
【特許文献１】特開２００３−３６３号公報
【発明の開示】
【発明が解決しようとする課題】
【０００４】
しかしながら、上記構成の棚付き机では、回動天板３の基端部がヒンジで回動可能に支持されているため、回動天板３を水平にすると、この回動天板３はヒンジ部分から手前に位置することになる。これにより、回動天板３の部分が大きくはみ出して、嵩張るという問題点がある。
【０００５】
本発明は、上述の点に鑑みてなされたもので、回動天板の部分を内部へ引き込んで出っ張りを減らした収納棚を提供することを目的とする。
【課題を解決するための手段】
【０００６】
前述した課題を解決するために第１の発明に係る収納棚は、立てた状態で本体部内を覆う蓋となり、水平に倒した状態で作業用テーブルとなる開閉扉を備えた収納棚であって、
先端部が上記開閉扉の側部を支持すると共に、基端部が上記本体部の前端部より内側の位置に回動可能に支持されたヒンジを備え、当該ヒンジに支持された上記開閉扉が、立てられた状態で上記本体部の前面を覆うと共に、倒された状態でその端部が上記本体部の内部に入り込んで水平に維持されることを特徴とする。
【０００７】
上記構成により、ヒンジで支持された開閉扉は、立てて本体部の前面を覆い、倒して作業用テーブルとして使用する。このとき、開閉扉は、水平になったとき、その基端部が本体部の内部に入り込んで支持されるため、本体部からあまり出っ張らずに、邪魔にならない。
【０００８】
このとき、上記ヒンジを、上記開閉扉に固定される固定用フランジ部と、当該固定用フランジ部が上記開閉扉に固定された状態で当該開閉扉の面と直行するように立ち上げて形成された支持板部と、当該支持板部の先端部に設けられて上記本体部の前端部より内側の位置に回動可能に取り付けられる回動制御部とから構成し、当該回動制御部を、上記支持板部を回転可能に支持する支持軸と、当該支持軸に回転可能に支持された上記支持板部に当接して摩擦する擦り板と、当該擦り板を上記支持板部に押し付ける付勢手段とを備えて構成することが望ましい。これにより、開閉扉は、支持板部で支持された状態で、回動制御部によって回動が制御される。具体的には、回動制御部の付勢手段で支持板部に押し付けられた擦り板が、支持板部との間で摩擦して、開閉扉をゆっくり開閉させる。
【０００９】
また、上記ヒンジの回動中心から上記開閉扉の外側面までの距離ｘと、上記回動中心から上記開閉扉に下ろした垂線と当該開閉扉との交点から当該開閉扉の下端部までの距離ｙとが同じ寸法になるように、上記ヒンジの寸法及び取り付け位置を設定することで、開閉扉を立てたときと倒したときとで、その下端位置を同じにできる。これにより、開閉扉が本体部前面の上部を覆った状態でその下部を覆う下部扉を備えた場合は、開閉扉と下部扉が本体部前面を覆った状態でこれら開閉扉と下部扉との間の隙間を減らせる。さらに、開閉扉がヒンジによって水平に支持されて作業用テーブルとして使用するとき、開閉扉の下側面が下部扉の上端部に当接してこの開閉扉を支持する。
【００１０】
この収納棚をパソコンラックとして使用する場合は、本体部内の上部にパーソナルコンピュータの表示装置を設置し、作業用テーブルである開閉扉にキーボード等を設置し、本体部内の下部にパーソナルコンピュータの本体を設置する。このとき、下部扉の内側面下部に、上記パーソナルコンピュータの本体を設置するカートを備えてもよい。これにより、パーソナルコンピュータの本体を邪魔にならずに設置することができる。
【００１１】
上記収納棚の本体部の両側面、天井面及び背面並びに上記開閉扉及び下部扉を板材で構成してもよい。これにより、作業をしないときは、開閉扉及び下部扉を閉めて、収納棚内に種々の物を外部から見えないように収納することができる。
【発明の効果】
【００１２】
ヒンジで開閉扉を支持して、この開閉扉を水平に倒した状態でその端部が本体部の内部に入り込むように支持するため、開閉扉が本体部から大きくはみ出すのを防止できる。これにより、作業用テーブルとなっている開閉扉が周囲の邪魔になることがなくなると共に、十分な作業性を維持することができる。
【発明を実施するための最良の形態】
【００１３】
以下、本発明の実施形態に係る収納棚について図面を参照しながら説明する。図１は本実施形態に係る収納棚を示す斜視図、図３は本実施形態に係る収納棚をその開閉扉及び下部扉を取り外した状態で示す斜視図、図４は本実施形態に係る収納棚をその開閉扉を取り外した状態で示す斜視図、図５は本実施形態に係る収納棚のヒンジを示す斜視図、図６は本実施形態に係る収納棚のヒンジの回動制御部を示す断面図、図７は本実施形態に係る収納棚のヒンジの回動制御部の皿バネを示す断面図、図８は本実施形態に係る収納棚をその開閉扉及び下部扉を閉じた状態で示す斜視図、図９は本実施形態に係る収納棚の開閉扉のヒンジの寸法設定例を示す側面断面図である。
【００１４】
収納棚１１は、図１、図３及び図４に示すように主に、本体部１２と、開閉扉１３と、ヒンジ１４と、下部扉１５とから構成されている。
【００１５】
本体部１２は、両側の側面板１６と、天井板１７と、背面板１８と、中板１９から構成されている。
【００１６】
側面板１６と天井板１７と背面板１８は、木製の板材で構成され、前面の開閉扉１３及び下部扉１５と併せて収納棚１１の外殻を構成している。中板１９は、本体部１２内で物を支持するための木製の板材である。なお、これら側面板１６、天井板１７、背面板１８及び中板１９は、木製以外の板材でもよい。デザインに合わせて材料を選択する。
【００１７】
中板１９の取り付け位置及び大きさは、本体部１２内に収納する物の大きさに会わせて適宜設置する。本実施形態では、パーソナルコンピュータを設置するパソコンラックを想定しているため、本体部１２内の上部に表示装置が位置し、その下側にキーボードが位置し、本体部１２内の下部にプリンター等の周辺機器が位置するようにレイアウトされている。具体的には、４枚の中板１９が取り付けられている。そのうち、上部の中板１９Ａ（図３参照）は、液晶ディスプレイ等の表示装置を支持する。中間奥側の中板１９Ｂは、キーボードを支持する。さらに、中板１９Ｂは、開閉扉１３の基端部を支持する。即ち、中板１９Ｂは、ヒンジ１４で回動可能に支持された開閉扉１３の基端部の上面に当接して、この開閉扉１３の回動を抑えて水平状態に支持する（図９参照）。下部の中板１９Ｃは、プリンター等の周辺機器を支持する。この下部の中板１９Ｃは、パソコン本体を支持する場合もある。中間手前の中板１９Ｄは、閉じた状態の下部扉１５の上端部に当接して下部扉１５を位置決めして支持する。
【００１８】
開閉扉１３は、立てた状態で本体部１２の前面の上側を覆う蓋となり、水平に倒した状態で作業用テーブルとなる扉である。この開閉扉１３は、上記側面板１６、天井板１７及び背面板１８と同様に、木製等の板材で構成されている。この開閉扉１３は、ヒンジ１４で回動可能に支持された状態で、立てられて本体部１２の前面の上側を覆い、倒された状態でその基端部が本体部１２の内部に入り込んで水平に維持される（図９参照）。
【００１９】
ヒンジ１４は、開閉扉１３を回転可能に支持するための部材である。このヒンジ１４は、開閉扉１３の両側に取り付けられている。ヒンジ１４は、図５及び図６に示すように、開閉扉１３に固定される固定用フランジ部２０と、この固定用フランジ部２０が開閉扉１３に固定された状態で開閉扉１３の面と直行する面に沿って立ち上げて形成された支持板部２１と、支持板部２１の先端部に設けられて本体部１２の前端部より内側の位置に回動可能に取り付けられる回動制御部２２とから構成されている。固定用フランジ部２０には、２つのねじ穴２０Ａが設けられ、開閉扉１３にねじで固定される。
【００２０】
支持板部２１は、ほぼ三角形状に形成され、開閉扉１３をヒンジ１４の回転中心から設定距離だけ離して支持している。この支持板部２１の寸法は、回動制御部２２の取り付け位置との関係で一定の寸法に設定されている。具体的には、図９に示すように、ヒンジ１４の回動中心から開閉扉１３の外側面までの距離ｘと、回動中心から開閉扉１３に下ろした垂線と開閉扉１３との交点から開閉扉１３の下端部までの距離ｙとが同じ寸法になるように、支持板部２１の寸法及び取り付け位置を設定している。これは、開閉扉１３を立てたとき（図９中の実線の状態）と倒したとき（図９中の一点鎖線の状態）とで、その下端位置を同じにするためである。これにより、開閉扉１３が本体部１２の前面の上側を覆った状態（図９中の実線の状態）で、その下側を覆う下部扉１５との間の隙間をほとんどなくすと共に、水平に支持されて作業用テーブルとして使用する状態（図９中の一点鎖線の状態）で開閉扉１３の下側面が下部扉１５の上端部に当接してこの開閉扉１３が支持されるようになっている。さらに、開閉扉１３の基端部（図９中の実線の状態の下端部）が本体部１２内へ入り込むようになっている。この開閉扉１３の基端部の入り込む寸法は、距離ｘ及びｙの寸法によるので、入り込ませたい寸法（本体部１２から出っ張らせたい寸法）に合わせて距離ｘ及びｙの寸法を設定する。なお、この寸法に合わせて開閉扉１３の基端部に当接できるように、中板１９Ｂの位置を調整する。
【００２１】
これにより、ヒンジ１４は、その先端部で開閉扉１３の側部を支持した状態で、基端部が本体部１２の前端部より内側の位置に回動可能に支持されている。
【００２２】
回動制御部２２は、開閉扉１３を回動可能に支持すると共に、開閉扉１３をゆっくり開閉させるための部材である。回動制御部２２は、図６及び図７に示すように、支持板部２１を回転可能に支持する支持軸２４と、支持軸２４に回転可能に支持された支持板部２１に当接して摩擦する擦り板２５と、擦り板２５を支持板部２１に押し付ける付勢手段２６と、スペーサ２７と、基盤２８とから構成されている。
【００２３】
支持軸２４は、支持板部２１を回転可能に支持するための軸である。この支持軸２４が、擦り板２５から基盤２８までを回動可能に支持している。擦り板２５は、支持板部２１をゆっくり回動させるための部材である。擦り板２５は、支持板部２１に圧接されてこの支持板部２１と摩擦することで支持板部２１をゆっくり回動させている。擦り板２５の材質や摩擦面の形状等は、要求される摩擦力に応じて設定される。付勢手段２６は、擦り板２５を支持板部２１に押し付けるための部材である。付勢手段２６は、皿バネで構成され、２枚重ねて使用されている。付勢手段２６の使用枚数は、要求される付勢力に応じて適宜設定される。なお、付勢手段２６としては、皿バネに限らず、コイルスプリング等でもよい。擦り板２５を支持板部２１に押し付けられる構成を備えた手段であればよい。
【００２４】
スペーサ２７は、支持板部２１と基盤２８とを設定間隔に保って支持するための部材である。このスペーサ２７で設定間隔に保たれた支持板部２１と基盤２８との間に、擦り板２５と付勢手段２６とが取り付けられている。これにより、付勢手段２６で付勢された擦り板２５が支持板部２１に圧接して、支持板部２１の回動を規制する。これにより、支持板部２１がゆっくり回動し、開閉扉１３をゆっくり回動させるようになっている。
【００２５】
基盤２８は、側面板１６に回動制御部２２を固定するための部材である。基盤２８は円盤状に形成され、ネジ２９を通すためのねじ穴が複数箇所に設けられている。側面板１６側には、基盤２８に通される支持軸２４の端部を収納するための凹部３０が設けられている。
【００２６】
下部扉１５は、図１及び図３に示すように、本体部１２の前面の下側を覆うための扉である。この下部扉１５は、ヒンジ１４で水平状態に支持された開閉扉１３の下側面に当接して開閉扉１３を支持する。下部扉１５は、その一側（図１中の右側）を本体部１２に回動可能に支持されて横方向に開閉する。これにより、下部扉１５は、閉じた状態と開いた状態の両方で開閉扉１３の下側面を支持するようになっている。
【００２７】
下部扉１５の内側面下部には、パーソナルコンピュータの本体を設置するカート３２が設けられている。このカート３２は、底板３３と、横板３４と、側面支持枠３５と、キャスター３６とから構成されている。底板３３は、パーソナルコンピュータの本体を支持するための板材である。底板３３は、下部扉１５の下端部に取り付けられている。横板３４は、底板３３に載置されたパーソナルコンピュータの本体の一側を支持するための板材である。横板３４は、底板３３の一側に立てて取り付けられている。側面支持枠３５は、底板３３に載置されたパーソナルコンピュータの本体を支持するための部材である。側面支持枠３５は金属の線材をＵ字状に折り曲げて形成されている。キャスター３６は、底板３３に２つ設けられ、パーソナルコンピュータの本体が載置された底板３３を支持する。
【００２８】
［動作］
以上のように構成された収納棚１１は次のようにして使用する。なお、ここでは、収納棚１１をパソコンラックとして使用する場合を例に説明する。
【００２９】
収納棚１１を使用しないときは、図８に示すように、開閉扉１３及び下部扉１５を閉めておく。これにより、作業用テーブルの部分が水平に張り出して邪魔になることがない。
【００３０】
使用する場合は、開閉扉１３を手前に引いて水平に倒す。これにより、開閉扉１３は、ヒンジ１４によって水平に支持されるが、このとき、開閉扉１３の基端部が本体部１２内へ入り込んで、本体部１２から外部にあまり出っ張らない状態になる。このとき、開閉扉１３の基端部は、中板１９Ｄの下側面に当接する。また、下部扉１５を側面板１６と平行になるまで開く。これにより、開閉扉１３は、その基端部が中板１９Ｄで上側から押され、中間部がヒンジ１４で支持され、先端部の一側が下部扉１５で支持される。これにより、開閉扉１３は、この中板１９Ｄとヒンジ１４と下部扉１５とで、水平に安定して支持される。
【００３１】
そして、中板１９Ｂに載置していたキーボードを開閉扉１３の上に載せ、その他必要な書類を開閉扉１３に載せて作業を行う。このとき、作業者は、イスに座った状態で、足を本体部１２内の下部に延ばし、腕を開閉扉１３の上に置いて、パソコンの入力作業等を行う。
【００３２】
作業を終了した場合は、キーボードを中板１９Ｂに戻して開閉扉１３を立てて閉め、下部扉１５を閉める。これにより、図８に示すように、作業用テーブルの部分がない、省スペースの収納棚１１となる。
【００３３】
［効果］
以上のように、開閉扉１３が、ヒンジ１４によって、立てられた状態で本体部１２の前面を覆い、倒された状態でその基端部が本体部１２内に入り込んだ作業用テーブルとなるため、本体部１２からあまり出っ張らずに、省スペースのパソコンラックとすることができる。
【００３４】
また、ヒンジ１４の回動制御部２２では、擦り板２５が支持板部２１と摩擦して支持板部２１の回動を制御するため、開閉扉１３をゆっくり開閉させることができる。
【００３５】
さらに、上述した距離ｘ及びｙの寸法を調整することにより、開閉扉１３の本体部１２内へ入り込み量を、作業しやすい任意の寸法に合わせて調整することができる。
【００３６】
この距離ｘとｙとを同じ寸法になるように調整することで、開閉扉１３を立てたときと倒したときとで、その下端位置を同じ高さにすることができる。これにより、開閉扉１３を立てたときに、下部扉１５との間にほとんど隙間が生じないで、本体部１２の前面を覆うことができる。さらに、倒したときに、開閉扉１３を下部扉１５で支持することができる。
【００３７】
本体部１２等を板材で構成したので、使用しないときは、開閉扉１３及び下部扉１５を閉めておくことで、収納棚１１内に種々の物を外部から見えない状態で収納することができる。
【００３８】
［変形例］
（１）  上記実施形態では、ヒンジ１４を開閉扉１３の両側に設けたが、強度的に問題がなければ、方持ち構造にしてもよい。この場合も、上記実施形態同様の作用、効果を奏することができる。
【００３９】
（２）  上記実施形態では、本体部１２の側面板１６等、開閉扉１３及び下部扉１５を木製の板材で構成したが、木製以外でもよく、さらに板材でなくてもよい。金属の線材を組み合わせたり、金網によって板状に構成してもよい。これらの場合も、上記実施形態同様の作用、効果を奏することができる。
【００４０】
（３）  上記実施形態では、開閉扉１３を本体部１２の前面の上側を覆うように構成したが、下側を覆うように構成してもよい。開閉扉１３だけで本体部１２の前面全体を覆うように構成してもよい。イスを使わずに、座ってパソコンを操作する場合等においては、本体部１２が低くなるため、開閉扉１３を１枚だけ本体部１２の前面に取り付ける場合もある。このような場合は、本体部１２の前面に開閉扉１３を１枚だけ設けることになる。
【００４１】
（４）  上記実施形態では、本体部１２内にパソコン以外の物を収納するための収納スペースをとらなかったが、図１０及び図１１に示すように、パソコン以外の物のための収納スペースを確保した形状にしてもよい。この収納棚４１は、上記実施形態の開閉扉１３及び下部扉１５に対応する開閉扉４３及び下部扉４５を備え、この開閉扉４３及び下部扉４５の部分の本体部４２内の内部構造も上記実施形態と同様にする。そしてここでは、本体部４２の上部に収納空間４４を設けている。開閉扉４３の上側に両開きの開閉扉４５を設けて、収納空間４４の開閉を行う。この場合も、上記実施形態同様の作用、効果を奏することができる。
【図面の簡単な説明】
【００４２】
【図１】本発明の実施形態に係る収納棚を示す斜視図である。
【図２】従来の収納棚を示す斜視図である。
【図３】本発明の実施形態に係る収納棚をその開閉扉及び下部扉を取り外した状態で示す斜視図である。
【図４】本発明の実施形態に係る収納棚をその開閉扉を取り外した状態で示す斜視図である。
【図５】本発明の実施形態に係る収納棚のヒンジを示す斜視図である。
【図６】本発明の実施形態に係る収納棚のヒンジの回動制御部を示す断面図である。
【図７】本発明の実施形態に係る収納棚のヒンジの回動制御部の皿バネを示す断面図である。
【図８】本発明の実施形態に係る収納棚をその開閉扉及び下部扉を閉じた状態で示す斜視図である。
【図９】本発明の実施形態に係る収納棚の開閉扉のヒンジの寸法設定例を示す側面断面図である。
【図１０】本発明の変形例を示す正面図である。
【図１１】本発明の変形例を示す側面図である。
【符号の説明】
【００４３】
１１：収納棚、１２：本体部、１３：開閉扉、１４：ヒンジ、１５：下部扉、１６：側面板、１７：天井板、１８：背面板、１９：中板、２０：固定用フランジ部、２１：支持板部、２２：回動制御部、２４：支持軸、２５：擦り板、２６：付勢手段、２７：スペーサ、２８：基盤、２９：ネジ、３０：凹部、３２：カート、３３：底板、３４：横板、３５：側面支持枠、３６：キャスター。
【図１】
2005270410.tif 000003
【図２】
2005270410.tif 000004
【図３】
2005270410.tif 000005
【図４】
2005270410.tif 000006
【図５】
2005270410.tif 000007
【図６】
2005270410.tif 000008
【図７】
2005270410.tif 000009
【図８】
2005270410.tif 000010
【図９】
2005270410.tif 000011
【図１０】
2005270410.tif 000012
【図１１】
2005270410.tif 000013